(57)【要約】      （修正有）【課題】情報の表示と目たつの効果を有する撮影装置である表示と発光効果を有する監視装置を提供する。【解決手段】収容空間を有するカバー体１１と、前記カバー体１１の周囲に設けられる表示モジュール１２と、前記カバー体１１の周囲に設けられる複数の発光モジュール１３とを備えることを特徴とする。これにより、前記表示モジュール１２は、文字メッセージを発生することができ、前記発光モジュール１３は、発光し続け又は間接的に発光することにより、目立つの目的を達成できる。【選択図】図１
0003183046.tif 000002
【実用新案登録請求の範囲】
【請求項１】
収容空間を有するカバー体と、前記カバー体の周囲に設けられる表示モジュールと、前記カバー体の周囲に設けられる複数の発光モジュールとを備えることを特徴とする表示と発光効果を有する監視装置。
【請求項２】
前記監視装置は、球形の撮影装置又は標準型の撮影装置であることを特徴とする請求項１に記載の表示と発光効果を有する監視装置。
【請求項３】
前記カバー体は、半球体の透明なカバーであることを特徴とする請求項２に記載の表示と発光効果を有する監視装置。
【請求項４】
前記カバー体は、長方形であることを特徴とする請求項２に記載の表示と発光効果を有する監視装置。
【請求項５】
前記表示モジュールと前記発光モジュールへ夫々に電力を供給するパワーサプライモジュールを更に有することを特徴とする請求項１に記載の表示と発光効果を有する監視装置。
【請求項６】
前記カバー体は、撮影ユニットをカバーすることを特徴とする請求項１に記載の表示と発光効果を有する監視装置。
【考案の詳細な説明】
【技術分野】
【０００１】
本考案は、表示と発光効果を有する監視装置であり、特に情報の表示と目たつの効果を有する撮影装置に関するものである。
【背景技術】
【０００２】
従来の監視撮影装置は、録画功能を有する装置であり、人工の代わりにリモートで監視しようとする場所を監視でき、その使用領域は、例えば銀行、空港、ショッピングモール及び一般の街道などであり、各時間に発生する事件に対して明確に時間と影像を記録している、前記監視撮影装置は、撮影装置モジュールと、保護カバーと、電源モジュールとを有し、前記保護カバーは、前記撮影装置モジュールが外在の環境に晒すによる悪影響を防止するためのものであり、例えば、環境中の湿気と汚れ物が前記撮影装置モジュールにおけるカメラと内部の回路に対して悪影響を与えて損害を招いてしまうので、前記撮影装置モジュールの使用寿命を縮減してしまう。従って、前記保護カバーは、不可欠の、重要の部材である。
【考案の概要】
【考案が解決しようとする課題】
【０００３】
しかしながら、前記監視撮影装置は、現場の状況を還元して判断の根拠として使用できるが、前記監視撮影装置は、大部に高い場所に設けられるため、犯罪使用とするものに対して警告しにくいため、必要のない損失を避けることができない。又、前記監視撮影装置は、故障の時に、その外観から判断しにくく、人工の方式又は検知装置によって前記監視撮影装置に対して故障の検知を行う必要があるため、検知上に非常に不便である。
【０００４】
従って、監視撮影装置の外観を向上して、威嚇や快速の検知の目的を達成できるのは、当業界で積極的に改良しようとするものとなる。
【課題を解決するための手段】
【０００５】
本考案の目的は、表示と発光効果を有する監視装置を提供するものであり、目たつの効果を有すると共に、情報の表示も達成でき、メンテナンスの判断根拠として使用可能の監視撮影装置を提供する。
【０００６】
上記の目的を達成するために、本考案は、以下の技術手段を採用する。収容空間を有するカバー体と、前記カバー体の周囲に設けられる表示モジュールと、前記カバー体の周囲に設けられる複数の発光モジュールとを備える。本考案を使用する時、電源モジュールから前記表示モジュールと前記発光モジュールに電力を供給することにより、それらの部件を夫々に動作させる。これにより、前記表示モジュールは、文字メッセージを発生することができ、前記発光モジュールは、発光し続け又は間接的に発光することにより、目立つの目的を達成できる。
【考案の効果】
【０００７】
本考案は、上記の構成を有するので、情報の表示と目たつの効果を有する撮影装置である表示と発光効果を有する監視装置を提供できる。
【図面の簡単な説明】
【０００８】
【図１】本考案に係わる表示と発光効果を有する監視装置の第１実施形態である球形の撮影装置を示す参考図である。
【図２】本考案に係わる表示と発光効果を有する監視装置の第１実施形態である標準型の撮影装置を示す参考図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１に示すように、本考案に係わる表示と発光効果を有する監視装置の第１実施形態は、球形の撮影装置（１）を用いると共に、カバー体（１１）と、表示モジュール（１２）と、複数の発光モジュール（１３）と、組立座（１４）とを含む。
【００１１】
前記カバー体（１１）は、半球体の透明なカバーであり、その内部に撮影ユニット（図面なし）を収容するための収容空間が形成され、前記半球体の透明なカバーに前記組立座（１４）の一面と接合するための断面が設けられる。前記表示モジュール（１２）は、前記カバー体（１１）のリング状面に設けられ、且つ前記表示モジュール（１２）の表示面（１２１）が前記カバー体（１１）の外部のリング状面に露出される。前記発光モジュール（１３）は、前記カバー体（１１）のリング状面に設けられ、且つ前記発光モジュール（１３）の発行部材が前記カバー体（１１）のリング状面に向かっている。
【００１２】
本考案を使用する時、前記球形の撮影装置（１）におけるパワーサプライモジュール（図面なし）は、前記表示モジュール（１２）と前記発光モジュール（１３）へ夫々に電力を供給することにより、夫々の部材が動作している。前記表示モジュール（１２）の種類は、液晶モニタ（ＬＣＤ）、発光ダイオード（ＬＥＤ）モニタ、有機発光ダイオード（ＯＬＥＤ）モニタなどに分けている。前記表示面（１２１）に文字メッセージを表示することにより、警告の効果を達成する。又、前記カバー体（１１）のリング状面に設けられる発光モジュール（１３）は、発光し続け又は間接的に発光することにより、目立つの目的を達成できる。
【００１３】
更に、前記文字メッセージは、外部の入力モジュール（図面なし）から表示しようとする文字メッセージを入力した後、リモートの伝送方式で前記球形の撮影装置（１）の表示モジュール（１２）に伝のすすることにより、表示される。また、前記球形の撮影装置（１）に記憶回路基板（図面なし）が設けられてもよく、前記記憶回路基板が前記文字メッセージを予め記憶すると共に、前記表示モジュール（１２）と電気的に接続することにより、前記表示モジュール（１２）に前記文字メッセージを表示することができる。
【００１４】
図２に示すように、本考案に係わる表示と発光効果を有する監視装置の第２実施形態は、標準型の撮影装置（２）を用いると共に、カバー体（２１）と、表示モジュール（２２）と、複数の発光モジュール（２３）と、組立座（２４）とを含む。前記カバー体（２１）は、長方形であり、その内部に撮影ユニット（２１１）を収容するための収容空間が形成されると共に、前記カバー体（２１）の一端に窓口（２２２）が設けられる。前記表示モジュール（２２）は、前記カバー体（２１）の何れかの一つの表面に設けられ、前記表示モジュールの（２２）表示面（２２１）が前記カバー体（２１）の外面に露出されると共に、前記表示モジュール（２２）の周囲に前記発光モジュール（２３）が設けられ、且つ前記発光モジュール（２３）の発行部位が前記カバー体（２１）の外面に向かっている。前記組立座（２４）は、前記カバー体（２１）の一面に連接される。
【００１５】
本考案を使用する時、前記標準型の撮影装置（２）におけるパワーサプライモジュール（図面なし）は、前記表示モジュール（２２）と前記発光モジュール（２３）へ夫々に電力を供給することにより、夫々の部材が動作している。前記表示モジュール（２２）の種類は、液晶モニタ（ＬＣＤ）、発光ダイオード（ＬＥＤ）モニタ、有機発光ダイオード（ＯＬＥＤ）モニタなどに分けている。前記表示面（２２１）に文字メッセージを表示することにより、警告の効果を達成する。又、リング状に前記表示面（２２１）に設けられる前記発光モジュール（２３）は、発光し続け又は間接的に発光することにより、目立つの目的を達成できる。
【００１６】
更に、前記文字メッセージは、外部の入力モジュール（図面なし）から表示しようとする文字メッセージを入力した後、リモートの伝送方式で前記標準型の撮影装置（２）の表示モジュール（２２）に伝のすすることにより、表示される。また、前記標準型の撮影装置（２）に記憶回路基板（図面なし）が設けられてもよく、前記記憶回路基板が前記文字メッセージを予め記憶すると共に、前記表示モジュール（２２）と電気的に接続することにより、前記表示モジュール（２２）に前記文字メッセージを表示することができる。
【００１７】
又、前記球形の撮影装置（１）又は前記標準型の撮影装置（２）が故障する時、前記表示モジュール（１２）（２２）と前記発光モジュール（１３）（２３）は動作できなくなる可能性があるので、前記表示モジュール（１２）（２２）と前記発光モジュール（１３）（２３）の動作不可能な状態によって前記球形の撮影装置（１）又は前記標準型の撮影装置（２）が故障するか否かことを判断し、故障の判断はより簡単となる。
【００１８】
上述したように、本考案に係わる表示と発光効果を有する監視装置は、前記カバー体（１１）（２１）に夫々前記表示モジュール（１２）（２２）と前記発光モジュール（１３）（２３）が設けられることにより、メッセージの伝送と警告の効果を達成でき、簡単に監視装置の状態を検知するメリットを有している。
【００１９】
上述の詳細な説明は、本考案に係わる表示と発光効果を有する監視装置の実施形態の説明であり、それらの実施形態は、本考案の実用新案登録請求の範囲を制限するものではなく、本考案の要旨から離脱しない変更例や変形例は、本考案の実用新案登録請求の範囲に含まれるものである。
【符号の説明】
【００２０】
１        球形の撮影装置
１１      カバー体
１２      表示モジュール
１３      発光モジュール
１４      組立座
１２１    表示面
２        標準型の撮影装置
２１      カバー体
２１１    撮影ユニット
２２      表示モジュール
２２１    表示面
２２２    窓口
２３      発光モジュール
２４      組立座
【図１】
0003183046.tif 000003
【図２】
0003183046.tif 000004